(57)【要約】【課題】被写体の輝度が高い場合でもピント調整を行うためのキャリブレーション処理を実行できる撮像装置を提供すること。【解決手段】撮像装置は、位相差検出方式の焦点検出信号と撮像素子の出力する画素信号を用いたコントラスト検出信号により撮像光学系のピント調整を行う。カメラ制御部は撮像素子の出力する画素信号の飽和状態を判定した場合（Ｓ１０３）、シャッタ速度やＩＳＯ感度の値を変更する（Ｓ１０５，Ｓ１０７）。シャッタ速度やＩＳＯ感度を変更しても、絞りを絞らない限り適切な撮像面ＡＦができない場合、カメラ制御部は、絞り値を変更し（Ｓ１１０）、絞りを絞った状態でキャリブレーション処理を実行する。焦点検出信号から算出したデフォーカス量から焦点位置の調整値が算出され、該調整値および絞り値が記憶部に記憶される（Ｓ１１４〜Ｓ１１６）。撮影時にカメラ制御部は、記憶部に記憶された絞り値よりも開いた状態での撮影を制限する。【選択図】  図１
2015094841.tif 000002
【特許請求の範囲】
【請求項１】
位相差検出方式の焦点検出手段による焦点検出信号と撮像素子の出力する画素信号を用いて撮像光学系の焦点調節を行う撮像装置であって、
前記撮像素子の出力する画素信号を取得して前記撮像光学系を構成するフォーカスレンズの駆動制御を行い、合焦状態と判定した焦点位置と、前記焦点検出手段による焦点検出信号から算出したデフォーカス量から焦点位置の調整値を算出し、該調整値および絞りを変更したときの絞り値を記憶部に記憶する処理を行う制御手段を備え、
前記制御手段は、前記記憶部に記憶した絞り値を制限値として撮影時の絞り値を制限することを特徴とする撮像装置。
【請求項２】
前記制御手段は、前記撮像素子の出力する画素信号が飽和した状態にてシャッタ速度を変更し、前記シャッタ速度が閾値に到達した場合、前記絞り値を変更して前記処理を実行し、前記絞り値が閾値に到達した場合に前記処理を中止することを特徴とする請求項１に記載の撮像装置。
【請求項３】
前記制御手段は、前記撮像素子の出力する画素信号が飽和した状態にて撮像感度を変更し、前記撮像感度が閾値に到達した場合、前記絞り値を変更して前記処理を実行し、前記絞り値が閾値に到達した場合に前記処理を中止することを特徴とする請求項１に記載の撮像装置。
【請求項４】
前記制御手段は、前記撮像素子の出力する画素信号が飽和していない状態にて、前記画素信号を取得してコントラスト検出を行ってから、前記焦点検出手段による焦点検出信号を取得して前記処理を行うことを特徴とする請求項２または３に記載の撮像装置。
【請求項５】
前記制御手段は、前記撮像素子の出力する画素信号が飽和した状態にてシャッタ速度または撮像感度が閾値に到達し、前記絞りの絞り値を変更して前記処理を行った場合、撮影時に前記制限値よりも前記絞りを開いた状態での撮影動作を制限することを特徴とする請求項２ないし４のいずれか１項に記載の撮像装置。
【請求項６】
前記制御手段は、前記撮像素子の出力する画素信号が飽和した状態にてシャッタ速度または撮像感度が閾値に到達し、前記絞りの絞り値を変更して前記処理を行う場合、前記絞りを制限する旨を表示手段に表示させる制御を行うことを特徴とする請求項２ないし４のいずれか１項に記載の撮像装置。
【請求項７】
前記絞りを設定する設定手段を備え、
前記制御手段は、前記設定手段で設定可能な前記絞りの範囲を、前記制限値により制限することを特徴とする請求項１ないし６のいずれか１項に記載の撮像装置。
【請求項８】
前記制御手段は、前記設定手段により前記絞りが設定される際、前記絞りの範囲が制限されていることを通知する制御を行うことを特徴とする請求項７に記載の撮像装置。
【請求項９】
前記制御手段は前記撮像素子の露出を決定する際、前記絞りの範囲を制限したプログラム線図に変更することを特徴とする請求項１ないし８のいずれか１項に記載の撮像装置。
【請求項１０】
被写体の輝度を測定する測光手段を備え、
前記制御手段は、前記測光手段により測定される被写体の輝度が閾値以下である場合、前記絞りの制限を解除することを特徴とする請求項１ないし９のいずれか１項に記載の撮像装置。
【請求項１１】
前記制御手段は、前記絞りの制限を解除する場合、解除の通知制御を行い、前記調整値の使用を解除することを特徴とする請求項１０に記載の撮像装置。
【請求項１２】
前記制御手段は、前記解除の通知制御の後、前記処理を行うか否かを受け付ける画面を表示手段に表示させる制御を行い、前記処理を行わない場合に前記絞りの制限および前記調整値の使用を解除することを特徴とする請求項１１に記載の撮像装置。
【請求項１３】
電源操作部および電源装置を備え、
前記制御手段は、前記電源操作部によって前記電源装置による電力の供給を停止または開始させる際、前記絞りの制限または前記調整値の使用を解除することを特徴とする請求項１０ないし１２のいずれか１項に記載の撮像装置。
【請求項１４】
請求項１ないし１３のいずれか１項に記載の撮像装置に装着可能なレンズ装置であって、
前記撮像光学系を構成する前記フォーカスレンズおよび絞りと、
前記記憶部に記憶された絞り値を前記撮像装置から取得し、該絞り値を制限値として撮影時の絞り値を制限するレンズ制御手段と、を備えることを特徴とするレンズ装置。
【請求項１５】
位相差検出方式の焦点検出手段による焦点検出信号と撮像素子の出力する画素信号を用いて撮像光学系の焦点調節を行う撮像装置にて実行される制御方法であって、
制御手段により、
前記撮像素子の出力する画素信号を取得して前記撮像光学系を構成するフォーカスレンズの駆動制御を行い、合焦状態と判定した焦点位置と、前記焦点検出手段による焦点検出信号から算出したデフォーカス量から焦点位置の調整値を算出する処理を行うステップと、
前記調整値および前記処理にて絞りを変更したときの絞り値を記憶部に記憶するステップと、
前記記憶部に記憶された絞り値を制限値として撮影時の絞り値を制限するステップを有することを特徴とする撮像装置の制御方法。
【発明の詳細な説明】
【技術分野】
【０００１】
本発明は、撮像装置およびその制御方法、レンズ装置に関し、詳しくは、撮像光学系の焦点状態の検出および補正を行う技術に関する。
【背景技術】
【０００２】
撮像用の交換可能なレンズ装置が装着される本体部を備える撮像装置では、本体部およびレンズ装置がそれぞれＭＰＵ（マイクロプロセッシングユニット）を有し、互いに通信することで焦点調節機能を実現している。具体的には、本体部側のＭＰＵが焦点検出のためにデフォーカス量を検出するセンサを制御し、レンズ装置側のＭＰＵが撮像光学系のピント補正値を本体部側のＭＰＵに送信する。このような撮像装置においては、自動焦点調節のための、所謂ピント調整が知られている。ピント調整では、生産時の公差等に起因する使用部品の個体差を検出し、それぞれの動作特性に応じた自動焦点調節のための調整値を工場出荷時にて不揮発性メモリに予め記憶させる処理が行われる。この調整値に基づいて適正な焦点調節を行うことが可能となる。
【０００３】
一方、レンズ装置や本体部を落下させてしまった場合等で強い衝撃が加わると、ピント位置がずれてしまう可能性がある。また、レンズ装置からデフォーカス量を検出するセンサまでの光学系の経路上にクイックリターンミラー等が配置されている場合、シャッタ開閉の度にミラーの角度が徐々に変化する可能性がある。この場合、デフォーカス量の検出精度が下がり、ピント位置のずれが起こり得る。ユーザはサービスセンタ等にレンズ装置や本体部を持ち込み、不揮発性メモリに記憶されている調整値を設定し直してもらうこともできるが、利便性と迅速性の観点からは限界がある。
【０００４】
特許文献１には、撮影者が個人でピント調整を行うためのキャリブレーションモードが提案されている。このキャリブレーションモードでは、撮像素子を用いたコントラスト検出方式でピント位置を求める処理が行われる。コントラスト検出方式の場合、撮像素子の出力信号に基づいて映像信号の高周波成分が抽出され、そのレベルが所定のサンプリング間隔で取得される。高周波成分のレベルがピークに向かう方向に焦点調節レンズが駆動され、最終的に高周波成分の値が所定のピーク範囲に到達した場合に合焦状態と判定される。検出された焦点位置と、焦点検出センサで検出されたデフォーカス量とのずれ量が算出され、これを調整値として不揮発性メモリに記憶する処理が行われる。
【先行技術文献】
【特許文献】
【０００５】
【特許文献１】特開２００３−２９５０４７号公報
【発明の概要】
【発明が解決しようとする課題】
【０００６】
ところで、被写体の輝度が高い時に画素出力の飽和が発生した場合、高周波成分のピークを画素出力の飽和が原因で検出できないと、ピント位置の判定精度が低下する可能性がある。画素出力の飽和の発生を抑えるために、シャッタ速度やＩＳＯ感度を変更する方法もあるが、これには限界がある。また、絞り値を変更する場合、絞り値を変えた状態でのコントラスト検出では被写界深度が深くなり、焦点が合っているとみなされる範囲が広くなってしまう。そのため、ピント位置のバラツキが大きくなり、そのピント位置では絞り開放時のピントの精度を満たす調整値が得られない可能性がある。前記特許文献１に開示の技術では、被写体の輝度が高い場合にピント調整を行うためのキャリブレーション処理を実行することができなかった。
本発明の目的は、被写体の輝度が高い場合でもピント調整を行うためのキャリブレーション処理を実行できるようにすることである。
【課題を解決するための手段】
【０００７】
上記課題を解決するために、本発明の第１の側面としての装置は、位相差検出方式の焦点検出手段による焦点検出信号と撮像素子の出力する画素信号を用いて撮像光学系の焦点調節を行う撮像装置であって、前記撮像素子の出力する画素信号を取得して前記撮像光学系を構成するフォーカスレンズの駆動制御を行い、合焦状態と判定した焦点位置と、前記焦点検出手段による焦点検出信号から算出したデフォーカス量から焦点位置の調整値を算出し、該調整値および絞りを変更したときの絞り値を記憶部に記憶する処理を行う制御手段を備える。前記制御手段は、前記記憶部に記憶した絞り値を制限値として撮影時の絞り値を制限する。
本発明の第２の側面としての装置は、前記撮像装置に装着可能なレンズ装置であって、前記撮像光学系を構成する前記フォーカスレンズおよび絞りと、前記記憶部に記憶された絞り値を前記撮像装置から取得し、該絞り値を制限値として撮影時の絞り値を制限するレンズ制御手段と、を備える。
【発明の効果】
【０００８】
本発明によれば、被写体の輝度が高い場合でもキャリブレーション処理を実行できる。
【図面の簡単な説明】
【０００９】
【図１】本発明の第１実施形態のキャリブレーション処理を説明するフローチャートである。
【図２】本発明の実施形態に係る撮像装置の構成例を示す図である。
【図３】絞り設定画面にて絞り値が制限されている状態を示す図である。
【図４】絞りに制限をかける前とかけた後でのシャッタ速度（Ａ）、絞り値（Ｂ）、ＩＳＯ感度（Ｃ）をそれぞれ例示するプログラム線図である。
【図５】絞りに制限をかけている場合のファインダ表示例を示す図である。
【図６】本発明の第２実施形態における絞り制限の解除処理を説明するフローチャートである。
【図７】本発明の第２実施形態における絞り制限解除時の表示例を示す図である。
【発明を実施するための形態】
【００１０】
以下、添付図面を参照して本発明の各実施形態を詳細に説明する。
図２は本発明の実施形態に係る撮像システムの概略を示す構成図である。
撮像装置１００は、ファインダ光学系を構成する正立正像光学系１０１と接眼レンズ１０２を備える。ファインダスクリーン１０３と第１ミラー１０４が設けられており、第１ミラー１０４は撮像光束の一部をファインダ光学系に偏向させる半透明光学素子である。第１ミラー１０４を通過した撮像光束は、第２ミラー１０５で反射することにより焦点検出装置１０８へと偏向される。
【００１１】
撮像素子１０６は、被写体を撮像して光電変換により電気信号（画素信号）を出力するイメージセンサである。撮像素子１０６はレンズ装置２００を通過した被写体からの光束を受光して電気信号を出力する。この電気信号から高周波成分を抽出して生成された焦点評価値は、後述するコントラスト検出に使用される。シャッタ装置１０７は撮像素子１０６への光を遮光する。
焦点検出装置１０８は、複数の受光部により構成されるセンサ部を有し、位相差検出方式の焦点検出を行い、焦点検出信号をカメラ制御部１１１に出力する。具体的には、フォーカスレンズを含むレンズ群の射出瞳を通過した光束を２分割し、これら２分割した光束を一組のラインセンサがそれぞれ受光する。本実施形態では、２分割した光束から得られる像信号をそれぞれ像信号Ａ、像信号Ｂとする。各ラインセンサの受光量に応じて出力された像信号Ａと像信号Ｂとのずれ量、すなわち光束の分割方向の相対的位置ずれ量を検出することで、焦点調節用のフォーカスレンズのデフォーカス量が算出される。したがって、焦点検出装置１０８のラインセンサにより一度蓄積動作を行えば、フォーカスレンズを移動すべき量と方向が得られ、レンズ駆動が行われる。測光装置１０９は露出測定を行う。レンズ１１０は測光装置１０９に被写体からの光束を結像させる光学素子である。
【００１２】
撮像装置１００の制御を司るカメラ制御部１１１はマイクロプロセッサ等を備えており、焦点調節制御や露出制御等を行う。カメラ制御部１１１は設定値や調整値、補正値等を記憶する記憶部を有する。ファインダ表示部１１２は、光学ファインダに画像情報を重ねて表示する。外部表示部１１３は撮像装置１００の外筐部の表示画面に各種情報を表示する。通信部１１４はレンズ装置２００の通信部２０１との間で通信を行う。操作部１１５は、カメラの各種設定の変更を行う際にユーザが操作する。電源装置１１６はカメラの電力を供給し、電源操作部１１７によって電源のオン／オフが切り替えられる。
レンズ装置２００は撮像光学系を構成する交換式レンズであり、撮像装置１００の本体部に装着可能である。通信部２０１は撮像装置１００の通信部１１４との間で通信を行う。撮像光学系はフォーカスレンズ等を含むレンズ群２０２と、光量調節を行う絞り装置２０３を備える。レンズ制御部２０４は絞り値の変更、フォーカスレンズ等の駆動制御、通信処理等を行う。
【００１３】
［第１実施形態］
図１を参照して、本発明の第１実施形態におけるコントラスト検出方式を用いたキャリブレーションモードについて説明する。キャリブレーション処理では、撮像素子の出力する画素信号を取得してフォーカスレンズの駆動制御が行われる。撮影画像のコントラスト検出による焦点評価値を用いて合焦状態と判定した焦点位置と、焦点検出装置１０８による焦点検出信号から算出したデフォーカス量から焦点位置の調整値が算出される。カメラ制御部１１１はこの調整値、およびキャリブレーション時に絞りを変更したときの絞り値を記憶部に記憶させる。
【００１４】
まず、Ｓ１０１にてカメラ制御部１１１は撮像信号の蓄積時間、絞り値、撮像感度（ＩＳＯ感度）の初期値を設定する。蓄積時間、ＩＳＯ感度は撮像素子１０６が像信号を蓄積する際の設定値である。絞り値については、カメラ本体部の通信部１１４とレンズ装置２００の通信部２０１を介した通信により、絞り装置２０３が制御される。ここでの像信号の蓄積時間は、撮影時のシャッタ速度とほぼ等価となっており、以後、この蓄積時間をシャッタ速度として扱う。絞り値は開放値が設定されるものとする。一例として、シャッタ速度1/60秒、絞り値F2.0（開放）、撮像感度ISO400を示す。
【００１５】
次にＳ１０２にて撮像素子１０６を用いて、被写体の像信号が取得される。被写体が高輝度であった場合、像信号が飽和することがある。像信号が飽和すると、その高周波成分の値が正確に検出されないので、飽和を防ぐ必要がある。そこで、カメラ制御部１１１は画素信号が飽和しているか否かの判定処理を行う（Ｓ１０３）。画素信号が飽和状態の場合、Ｓ１０４に処理を進め、飽和していない場合、Ｓ１１１に移行する。飽和状態の判定処理は画素信号のレベルを設定された閾値と比較することにより行われる。
【００１６】
Ｓ１０３で画素信号が飽和している場合、まずはシャッタ速度を速い秒時に変更することで飽和を防ぐことができる。Ｓ１０４でカメラ制御部１１１はシャッタ速度を設定可能な上限値と比較する。シャッタ速度が設定可能な上限値でない場合、Ｓ１０５に処理を進め、シャッタ速度がより速い秒時に変更され、再度像信号を取得するためにＳ１０２に戻る。他方、Ｓ１０４でシャッタ速度が上限値に到達したと判定された場合、Ｓ１０６に進む。シャッタ速度と同様にＩＳＯ感度にも上限があるため、Ｓ１０６でカメラ制御部１１１はＩＳＯ感度値を上限値と比較する。ＩＳＯ感度値が上限でない場合、Ｓ１０７に処理を進め、ＩＳＯ感度値を低感度側に変更する処理が行われた後、Ｓ１０２に処理を戻す。他方、Ｓ１０６でＩＳＯ感度値が上限値に到達したと判定された場合、Ｓ１０８に処理を進める。なお、シャッタ速度の変更処理（Ｓ１０５）の次にＩＳＯ感度の変更処理（Ｓ１０７）が実行される例を示すが、この順番は逆でもよく、または同時に行ってもよい。
【００１７】
シャッタ速度とＩＳＯ感度を変更しながら、像信号の飽和を防ぐ場合において、両方が上限に達してしまうことがある。その場合、絞りを絞ることで、被写体の光量を制限して像信号の飽和を防ぐことができる。しかし、その際には被写界深度が深くなりピントが合っているとみなされる範囲が広くなってしまう。絞りを絞った状態で行ったキャリブレーションによる調整値は、その時と同じ絞り値以上絞った状態での撮影精度しか満たすことができない。そこで、シャッタ速度とＩＳＯ感度の両方が上限に達してしまった場合にはＳ１０８にて、絞りを絞った状態でキャリブレーション処理を行う旨をユーザへ通知する通知制御が行われる（Ｓ１０８）。この通知は外部表示部１１３を用いて行われ、またはスピーカ等で音声出力される。その際、撮影時にて絞りに制限をかける旨のメッセージを表示してもよい。
【００１８】
絞りを絞った状態でキャリブレーション処理を行う旨の通知制御の後、カメラ制御部１１１は絞り値（Ａｖ）が上限であるか否かを判定する（Ｓ１０９）。Ａｖ値が上限値である場合、キャリブレーションが中止される。Ａｖ値が上限値未満である場合、Ｓ１１０に処理を進め、Ａｖ値が変更されて、Ｓ１０２に処理を戻す。シャッタ速度やＩＳＯ感度と同様に、絞り値の上限まで絞りを絞りながら、画素信号の飽和が発生したかどうかの監視を続行する。絞り値の変更処理では、カメラ本体部の通信部１１４とレンズ装置２００の通信部２０１を介した通信により、レンズ装置２００に絞り値が送信される。レンズ制御部２０４は絞り装置２０３を駆動して絞り値を変更する。Ｓ１１０の後、Ｓ１０２に処理を戻す。
【００１９】
Ｓ１０３で画素信号が飽和していない場合、Ｓ１１１に移行し、カメラ制御部１１１は像信号から高周波成分を検出するための演算を行う（Ｓ１１１）。高周波成分の検出（Ｓ１１１）と、次のフォーカスレンズ駆動（Ｓ１１２）は繰り返し実行される。Ｓ１１３にてカメラ制御部１１１は、高周波成分のレベルがピークとなる位置（ピーク位置）が検出されたか否かを判断する。ピーク位置を検出できた場合、焦点の合った合焦位置と判断できるため、Ｓ１１４に処理を進めるが、ピーク位置を検出できない場合、Ｓ１０２に処理を戻す。
【００２０】
Ｓ１１４では、コントラスト検出を終了して、焦点検出装置１０８による位相差ＡＦ（オートフォーカス）処理が行われ、デフォーカス量が検出される。ここでのデフォーカス量は実際の焦点が合っている合焦状態とのずれ量を表し、カメラ制御部１１１は、このデフォーカス量を取得し、焦点検出装置１０８を用いた時の位相差ＡＦの調整値として記憶部に保存する（Ｓ１１５）。そしてカメラ制御部１１１はこの時の絞り値を、撮影時の制限値として併せて記憶部に保存する（Ｓ１１６）。
以上のようにして高輝度時のキャリブレーションが行われ、位相差ＡＦの調整値（デフォーカス量）や補正値、撮影時の制限値（絞り値）がカメラ制御部１１１の記憶部に記憶される。
【００２１】
次に、撮影時の制限について説明する。
操作者が操作部１１５を用いて絞り値を設定する撮影モード、例えばマニュアルモードや絞り優先モードにおいて、カメラ制御部１１１は、設定可能な絞り値の範囲に制限をかける。カメラ制御部１１１はキャリブレーション時にて記憶部に記憶した制限値を用いて絞り値を制限する。ここでは制限値をF4.0とする。外部表示部１１３による絞り設定画面例を図３に示す。絞り設定画面上には、キャリブレーションによって絞りの設定に制限がかかっていることが表示される。図３の例でユーザは、実際の絞りの開放値はF2.0であるが、F4.0までしか絞り値を設定できないことを認識できる。外部表示部１１３の画面上には絞り値がF4.0にて制限されている旨のメッセージが併せて表示される。
【００２２】
自動的に絞りを設定する撮影のモード、例えばシャッタ速度優先モードや自動露出設定モードの場合、カメラ制御部１１１は撮像素子の露出を決定する際、プログラム線図を変更する。以下では自動露出設定モードを例にして説明する。
図４は絞りに制限をかける前と後でのプログラム線図を示す。図４（Ａ）は横軸に輝度（ＥＶ値）を示し、縦軸にシャッタ速度（秒）を示す。図４（Ｂ）は横軸に輝度（ＥＶ値）を示し、縦軸に絞り値（F値）を示す。図４（Ｃ）は横軸に輝度（ＥＶ値）を示し、縦軸にＩＳＯ感度を示す。これらのプログラム線図は一例であり、絞りに制限がかかる前のプログラム線図を点線で示し、絞りに制限がかかった後のプログラム線図を実線で示す。
【００２３】
図４（Ａ）では、絞りに制限がかかる前のプログラム線図（点線のグラフ）において、輝度値がＥＶ「−３」から「＋３」の範囲で、シャッタ速度は手振れを考慮した1/60秒である。輝度値がＥＶ「＋３」より大きくなるにつれてシャッタ速度が速くなり、輝度値がＥＶ「−３」より小さくなるにつれてシャッタ速度が遅くなる。つまり、シャッタ速度が1/60秒である線の左端で輝度値はＥＶ「−３」である。
図４（Ｂ）では、絞りに制限がかかる前のプログラム線図（点線のグラフ）において、輝度値がＥＶ「＋３」以下の範囲で絞り値がレンズの開放値F2.0である。輝度値がＥＶ「＋３」より大きくなるにつれて絞り値が大きくなる。
図４（Ｃ）では、絞りに制限がかかる前のプログラム線図（点線のグラフ）において、輝度値がＥＶ「−３」から「＋３」の範囲でＩＳＯ感度が線形的に変化する。低感度限界ISO100に到達する輝度値がＥＶ「＋３」であり、それ以上ではＩＳＯ感度が一定となる。また、高感度限界ISO6400での輝度値はＥＶ「−３」以下である。
【００２４】
図４（Ａ）および（Ｂ）に示すように、輝度値がＥＶ「＋３」よりも明るいところでは、右上がりの線分で示すように、絞り値とシャッタ速度が１：１の割合で変化していく。ＩＳＯの高感度限界ISO6400でもまだ暗い場合には、シャッタ速度が1/60秒よりも遅い秒時に変更されていく。
【００２５】
一方、キャリブレーションにより絞りが制限された場合、図４（Ａ）に示すプログラム線図は実線で示すように、点線に対して横軸方向に輝度ＥＶ「＋２」だけ右側にシフトしたグラフにしたがって変化する。すなわち、輝度値がＥＶ「−１」から「＋５」の範囲でのシャッタ速度が1/60秒である。輝度値がＥＶ「＋５」より大きくなるにつれてシャッタ速度が速くなり、輝度値がＥＶ「−１」より小さくなるにつれてシャッタ速度が遅くなる。つまり、シャッタ速度が1/60秒である線の左端では輝度値がＥＶ「−１」である。
【００２６】
図４（Ｂ）では、絞りに制限がかかった場合のプログラム線図（実線のグラフ）において、絞り値の制限によって基準となる輝度が変更される。制限値F4.0のラインを一点鎖線で示す。輝度値がＥＶ「＋５」以下では、絞り値が制限値F4.0である。輝度値がＥＶ「＋５」より大きくなるにつれて絞り値が大きくなる。
図４（Ｃ）では、絞りに制限がかかった場合のプログラム線図（実線のグラフ）において、輝度値がＥＶ「−１」から「＋５」の範囲でＩＳＯ感度が線形的に変化する。低感度限界ISO100に到達する輝度値がＥＶ「＋５」であり、それ以上ではＩＳＯ感度が一定となる。また、高感度限界ISO6400での輝度値はＥＶ「−１」以下である。
【００２７】
図４（Ａ）および（Ｂ）に示すように、輝度値がＥＶ「＋５」より明るいところでは、絞りとシャッタ速度が１：１の割合で変化していく。ＩＳＯの高感度限界ISO6400でもまだ暗い場合には、シャッタ速度が1/60秒よりも遅い秒時に変更されていく。
以上のように、絞りが自動で設定される撮影モードにおいてカメラ制御部１１１は、プログラム線図を変更することで絞りの制限を実現する。その際、図５のようにファインダ表示部１１２には、絞りの制限がかかった自動露出である旨の表示６００が行われる。この表示については外部表示部１１３の画面上に表示されてもよい。
【００２８】
本実施形態では、絞りに制限がかかった状態でのキャリブレーション処理を行った場合には撮影動作時に絞りに制限をかける。絞りに制限がかかった状態でのキャリブレーション処理を実行させ、キャリブレーションの結果を用いた撮影が可能である。したがって、被写体の輝度が高い場合でも、撮像光学系の焦点位置を補正する処理を、絞りに制限がかかった状態で実行させることができ、撮影時には絞りを制限することで補正処理結果が利用可能となる。
【００２９】
［第２実施形態］
次に、本発明の第２実施形態を説明する。本実施形態にて第１実施形態と同様の構成要素については既に使用した符号を用いることでそれらの詳細な説明を省略し、相違点を説明する。
撮像装置が絞りの制限のかかった状態にあるときに、被写体の輝度によっては絞りの制限を解除した方がよい場合がある。キャリブレーションモード時に絞りの制限をかける状況というのは、シャッタ速度とＩＳＯ感度の両方が上限に達している場合であり、輝度が非常に高い状態が挙げられる。例えば、日中の屋外での実写時にキャリブレーション処理を実行した時等が挙げられる。ここで撮影状況が変更された場合、例えばカメラを把持したユーザが屋内に移動した場合や、夕暮れや夜景等にように、その後に時間が経過した場合には、撮影時の被写体の輝度が低くなっている。このような場合には、絞りの制限を解除することが望ましい。また、記憶部に記憶された調整値は絞りの制限をかける時にのみ用いられるべきであり、絞りの制限が解除される時には調整値（図１：Ｓ１１５参照）を解除する必要がある。
【００３０】
本実施形態では、絞りの制限の解除について、図６のフローチャートを参照して説明する。撮影時の測光動作は測光装置１０９を用いて行われる。まず測光動作が行われ(Ｓ２０１)、その測光結果を取得してカメラ制御部１１１が被写体の輝度値を算出する（Ｓ２０２）。カメラ制御部１１１は被写体の輝度値を用いてシャッタ速度、絞り値、ＩＳＯ感度の値をそれぞれ算出する（Ｓ２０３）。Ｓ２０４でカメラ制御部１１１は被写体の輝度を、判定用の輝度（閾値）と比較する。被写体の輝度が閾値以下であって暗い場合、絞りの制限を解除するためにＳ２０５に処理を進める。また、Ｓ２０４で被写体の輝度が閾値より大きい場合、絞りの解除はせずに測光処理を終える。
絞りの制限を解除する際の輝度値は、例えば、手振れを考慮したシャッタ秒時に基づいて設定される。図４に実線で示すプログラム線図のグラフでは、輝度値がＥＶ「−１」以下の範囲でシャッタ速度が1/60秒より遅くなる。ここで、絞りの制限を解除することで、シャッタ速度は、点線のグラフで示すように輝度値がＥＶ「−３」の範囲まで1/60秒となる。このように手振れを考慮したシャッタ秒時に基づく輝度値を用いて、絞りの制限の解除が行われる。尚、絞りの制限解除の際の輝度値は例示であって、これに限定されるものではない。
【００３１】
Ｓ２０５にて外部表示部１１３は、絞りの制限を解除する旨のメッセージを画面に表示する。図７に画面表示例を示す。この際、再度キャリブレーション処理を促す表示も併せて行われる。Ｓ２０６でカメラ制御部１１１は、再度キャリブレーション処理を行う選択操作が行われたか否かを判断する。再度キャリブレーション処理を行うことが選択された場合、キャリブレーションモードに移行する（Ｓ２０９）。
Ｓ２０６で再度キャリブレーション処理を行わないことが選択された場合、Ｓ２０７に処理を進め、カメラ制御部１１１は絞りの制限を解除する。次のＳ２０８では、記憶部に保存されていた調整値や補正値の保持および使用が解除される。
【００３２】
本実施形態では、被写体の輝度に応じて絞りの制限を解除することによって、撮影時にキャリブレーションによる露出制限をかけないので、間違った調整値等が使用されることはない。尚、本実施形態では、輝度の変化によって撮影シーンが変わったことを判定して絞りの制限を解除する例を説明した。この他、電源装置１１６によってカメラに供給される電力を電源操作部１１７の操作によって停止させる際、カメラ制御部１１１は撮影シーンが変わったと判断して、絞りの制限および調整値の使用を解除してもよい。また、電力供給が停止された状態から電源操作部１１７の操作によって再び電力供給が開始された際、カメラ制御部１１１は撮影シーンが変わったと判断して、絞りの制限および調整値の使用を解除してもよい。その際には、外部表示部１１３が、絞りの制限を解除することを表示する。
以上、本発明の好ましい実施形態について説明したが、本発明はこれらの実施形態に限定されず、その要旨の範囲内で種々の変形および変更が可能である。
【符号の説明】
【００３３】
１０７  シャッタ装置
１０８  焦点検出装置
１０９  測光装置
１１１  カメラ制御部
１１３  外部表示部
１１６  電源装置
２０３  絞り装置
２０４  レンズ制御部
【図１】
2015094841.tif 000003
【図２】
2015094841.tif 000004
【図３】
2015094841.tif 000005
【図４】
2015094841.tif 000006
【図５】
2015094841.tif 000007
【図６】
2015094841.tif 000008
【図７】
2015094841.tif 000009